(57)【特許請求の範囲】
【請求項１】
被検者を支持するクレードルを有する医用装置の前記クレードルに配置され、前記被検者の動作を介助する介助具であって、
前記被検者の臀部が載置される第１のマットと、
前記第１のマットに接続され、前記被検者の背中が載置される第２のマットであって、前記第１のマットの後ろ側に倒すことができ、且つ前記第１のマットに対して起立させることができるように構成された第２のマットと、
前記第１のマットに取り付けられ、前記被検者を介助する介助者が把持する第1のグリップ部であって、第１の受け部と、前記第１の受け部に着脱自在に差し込むことができるように構成された第１の差込部とを有する第１のグリップ部と、
前記第２のマットに取り付けられ、前記介助者が把持する第２のグリップ部であって、第２の受け部と、前記第２の受け部に着脱自在に差し込むことができるように構成された第２の差込部とを有する第２のグリップ部と、
を有し、
前記第２のグリップ部の第２の差込部が、前記第１のグリップ部の第１の受け部に差し込まれることにより、前記第２のマットが前記第１のマットに対して起立した状態に保持される介助具。
【請求項２】
前記介助具の表面には、前記介助具と前記被検者との相対的な位置関係を確認するためのラインが設けられている、請求項１に記載の介助具。
【請求項３】
前記ラインは、前記介助具の側面にまで到達するように設けられている、請求項２に記載の介助具。
【請求項４】
前記ラインは２本以上設けられている、請求項２又は３に記載の介助具。
【請求項５】
前記２本以上のラインには、前記第１のマットと前記第２のマットとの接続位置に設けられた第１のラインと、前記介助具の幅方向の中心線上に設けられた第２のラインとが含まれている、請求項４に記載の介助具。
【請求項６】
前記第１のマットの裏面に、前記介助具を前記クレードルに固定するための第１の面ファスナーが設けられている、請求項１〜５のうちのいずれか一項に記載の介助具。
【請求項７】
前記第２のマットの裏面に、前記介助具を前記クレードルに固定するための第２の面ファスナーが設けられている、請求項１〜６のうちのいずれか一項に記載の介助具。
【請求項８】
前記第１のマット又は前記第２のマットは、弾性部材を有している、請求項１〜７のうちのいずれか一項に記載の介助具。
【請求項９】
前記医用装置は、磁気共鳴装置又はＣＴ装置である、請求項１〜８のうちのいずれか一項に記載の介助具。
【発明の詳細な説明】
【技術分野】
【０００１】
本発明は、医用装置のクレードルに配置され、被検者の動作を介助する介助具に関する。
【背景技術】
【０００２】
磁気共鳴装置やＣＴ装置で被検者を撮影する場合、患者はクレードルに寝る必要がある。しかし、車椅子やストレッチャーで運ばれる患者は、自力でクレードルに寝ることが困難な場合が多い。このような患者を撮影する場合、技師が患者を抱えるなどの補助をしながら、患者をクレードルに寝かせる必要があり、技師に負担が掛かるという問題がある。そこで、患者をクレードルに容易に移動させることが可能なストレッチャーが開示されている（特許文献１）。
【先行技術文献】
【特許文献】
【０００３】
【特許文献１】特開平０２−５５０４２号公報
【発明の概要】
【発明が解決しようとする課題】
【０００４】
しかし、患者をクレードルに移動させた患者の筋力が弱っている場合、患者が自力で上体を起こす動作をしたり、上体を寝かせる動作をすることは困難である。したがって、患者をクレードルに移動させた後で、患者の姿勢を調整する場合、技師は、患者の体の下に手を入れたり、患者を引きずったりする必要があり、これは、患者にとっては不快であり、技師も気を使う。そこで、患者や技師に掛かる負担を軽減できる方法で、患者をクレードルに寝かせることが望まれている。
【課題を解決するための手段】
【０００５】
本発明の一態様は、被検者を支持するクレードルを有する医用装置の前記クレードルに配置され、前記被検者の動作を介助する介助具であって、
前記被検者の臀部が載置される第１のマットと、
前記第１のマットに接続され、前記被検者の背中が載置される第２のマットであって、前記第１のマットの後ろ側に倒すことができ、且つ前記第１のマットに対して起立させることができるように構成された第２のマットと、
前記第２のマットに取り付けられ、前記被検者を介助する介助者が把持するグリップ部と、
を有する介助具である。
【発明の効果】
【０００６】
グリップ部を備えることによって、被検者の動作の介助を容易に行うことができる。
【図面の簡単な説明】
【０００７】
【図１】第１の形態の介助具を用いて、被検者をＭＲ装置のクレードルに寝かせる様子を示す図である。
【図２】介助具４の斜視図である。
【図３】介助具４の内部を示す図である。
【図４】バックルを有するグリップ部の構造の説明図である。
【図５】第２のマット４２を第１のマット４１に対して起立した状態に保持するときの手順の一例の説明図である。
【図６】介助具４をクレードル３ａに設置したときの様子を示す図である。
【図７】クレードル３ａに設置された介助具４に、被検者１０が着座したときの様子を示す図である。
【図８】撮影技師１１が介助具４のグリップ部５Ｄを握ったときの様子を示す図である。
【図９】連結されたベルト６１，６２が外れたときの様子を示す図である。
【図１０】第２のマット４２を後ろに倒した後の様子を示す図である。
【図１１】撮影技師１１が左手でグリップ部５Ｄを握り、右手でグリップ５Ａを握ったときの様子を示す図である。
【図１２】グリップ部６Ａ〜６Ｄのベルトを連結した後の様子を示す図である。
【図１３】被検者１０の位置の調整方法を示す図である。
【図１４】被検者１０をボアに搬入したときの様子を示す図である。
【図１５】被検者１０の起き上がる動作を介助するときの説明図である。
【図１６】被検者１０の起き上がる動作を介助するときの説明図である。
【図１７】第２の形態の介助具４の斜視図である。
【図１８】第２の形態の介助具４に被検者１０が寝ているときの様子を示す図である。
【図１９】ラインＬ１およびＬ２を介助具４の側面にまで到達させたときの様子を示す図である。
【図２０】第３の形態における介助具４を裏面側から見た斜視図である。
【図２１】介助具４をクレードル３ａに固定する前のＭＲ装置１００の斜視図である。
【図２２】介助具４をクレードル３ａに固定した後のＭＲ装置１００の斜視図である。
【図２３】被検者１０を介助具４に寝かせた状態で、介助具４をクレードル３ａに固定するときの説明図である。
【発明を実施するための形態】
【０００８】
以下、発明を実施するための形態について説明するが、本発明は、以下の形態に限定されることはない。
【０００９】
（１）第１の形態
図１は、第１の形態の介助具を用いて、被検者を磁気共鳴装置のクレードルに寝かせる様子を示す図である。
【００１０】
磁気共鳴装置（以下、「ＭＲ装置」と呼ぶ。ＭＲ：Magnetic Resonance）１００は、マグネット２、テーブル３などを有している。
【００１１】
マグネット２は、被検者１０が収容されるボア２１を有している。また、マグネット２には、超伝導コイル、勾配コイル、送信コイル（図示せず）などが内蔵されている。
【００１２】
テーブル３は、クレードル３ａを有している。クレードル３ａは、ボア２１内に移動できるように構成されている。クレードル３ａによって、被検者１０はボア２１に搬送される。
【００１３】
また、テーブル３の上には、介助具４が設置されている。介助具４には、被検者１０が着座している。介助具４は、被検者１０をＭＲ装置１００のクレードル３ａに寝かせるときに、被検者１０を介助するために使用されるものである。次に、介助具４の構造について説明する。
【００１４】
図２は、介助具４の斜視図である。
図２（ａ）は、介助具４を折り曲げる前の斜視図、図２（ｂ）は、介助具４を折り曲げた後の斜視図である。
【００１５】
介助具４は、第１のマット４１と、第２のマット４２とを有している。マット４１および４２のうちの一方のマットは、被検者１０の下半身が載置されるマットであり、他方のマットは、被検者１０の上半身が載置されるマットである。介助具４は、第１のマット４１と第２のマット４２とを接続する接続位置ＦＰにおいて、折り曲げることができるように構成されている。
【００１６】
図３は、介助具４の内部を示す図である。
介助具４の内部には、介助具４の骨組みを構成するための部材４３および４４が内蔵されている。この部材４３および４４は、接続位置ＦＰにおいて折り曲げることができるように構成されている。また、介助具４の内部には、スポンジやクッションなどの弾性部材４５および４６が収納されている。弾性部材４５および４６の側部は、部材４３および４４に固定されている。
【００１７】
図２に戻って説明を続ける。
介助具４の側面には、複数のグリップ部５Ａ〜５Ｈおよび６Ａ〜６Ｄが取り付けられている。グリップ部５Ａ〜５Ｈおよび６Ａ〜６Ｄは、撮影技師１１が被検者１０を介助しやすいようにするために取り付けられている。グリップ部５Ａ〜５Ｈおよび６Ａ〜６Ｄの使い方については、後で詳しく説明する。
【００１８】
グリップ部５Ａ〜５Ｈおよび６Ａ〜６Ｄは、２種類のグリップ部に分けられる。一つは、バックルを有していないグリップ部（５Ａ、５Ｂ、５Ｃ、５Ｄ、５Ｅ、５Ｆ、５Ｇ、５Ｈ）であり、もう一つは、バックルを有するグリップ部（６Ａ、６Ｂ、６Ｃ、６Ｄ）である。次に、バックルを有するグリップ部（６Ａ、６Ｂ、６Ｃ、６Ｄ）の構造について説明する（図４参照）。
【００１９】
図４は、バックルを有するグリップ部（６Ａ、６Ｂ、６Ｃ、６Ｄ）の構造の説明図である。尚、グリップ部（６Ａ、６Ｂ、６Ｃ、６Ｄ）は、同一構造であるので、以下では、代表して、グリップ部６Ａの構造について説明する。
【００２０】
図４（ａ）は、グリップ部６Ａのバックル６３を取り外す前の様子を示す図、図４（ｂ）は、グリップ部６Ａのバックル６３を取り外した後の様子を示す図である。
【００２１】
グリップ部６Ａは、２本のベルト６１および６２と、バックル６３とを有している。ベルト６１および６２は、介助具４の側面に固定されている。また、ベルト６１および６２は、撮影技師１１が握りやすいように、柔軟性のある素材で構成されている。バックル６３は、差込部６３ａと、受け部６３ｂとを有している。差込部６３ａは、受け部６３ｂに着脱自在に差し込むことができるように構成されている。バックル６３の差込部６３ａはベルト６１の先端に固定されており、バックル６３の受け部６３ｂはベルト６２の先端に固定されている。バックル６３の差込部６３ａが受け部６３ｂに差し込まれると、２本のベルト６１および６２が外れないように連結される。
【００２２】
他のグリップ部６Ｂ、６Ｃ、および６Ｄも、グリップ部６Ａと同一の構成である。第１の形態では、グリップ部６Ａ、６Ｂ、６Ｃ、および６Ｄを用いて、第２のマット４２を第１のマット４１に対して起立した状態に保持することができる。次に、第２のマット４２を第１のマット４１に対して起立した状態に保持する手順の一例について説明する（図５参照）。
【００２３】
図５は、第２のマット４２を第１のマット４１に対して起立した状態に保持するときの手順の一例の説明図である。
【００２４】
撮影技師１１は、先ず、グリップ部６Ａ、６Ｂ、６Ｃ、および６Ｄのバックルを外し（図５（ａ）参照）、介助具４を接続位置ＦＰで折り曲げて第２のマット４２を起立させる（図５（ｂ）参照）。そして、グリップ部６Ａの差込部６３ａをグリップ部６Ｂの受け部６３ｂに差し込み、更に、グリップ部６Ｃの差込部６３ａをグリップ部６Ｄの受け部６３ｂに差し込む（図５（ｃ）参照）。これによって、グリップ部６Ａのベルト６１がグリップ部６Ｂのベルト６２に連結され、グリップ部６Ｃのベルト６１がグリップ部６Ｄのベルト６２に連結されるので、第２のマット４２を第１のマット４１に対して起立した状態に保持することができる。
【００２５】
第１の形態では、上記のように構成された介助具４を用いて、被検者１０をＭＲ装置１００のクレードル３ａに寝かせている。以下に、介助具４を用いて、被検者１０をＭＲ装置１００のクレードル３ａに寝かせる手順の一例について、図６〜図１３を参照しながら説明する。
【００２６】
撮影技師１１は、被検者１０をクレードル３ａに寝かせる前に、介助具４をクレードル３ａに設置する（図６参照）。
【００２７】
図６は、介助具４をクレードル３ａに設置したときの様子を示す図である。
撮影技師１１は、介助具４をクレードル３ａに設置する前に、介助具４の第２のマット４２を起立させた状態に保持しておく（図５（ｃ）参照）。そして、介助具４をクレードル３ａに設置する。
【００２８】
次に、撮影技師１１は、クレードル３ａに設置された介助具４に、被検者１０を着座させる（図７参照）。
【００２９】
図７は、クレードル３ａに設置された介助具４に、被検者１０が着座したときの様子を示す図である。
【００３０】
グリップ部６Ａのベルト６１は、別のクリップ部６Ｂのベルト６２に連結されており、更に、グリップ部６Ｃのベルト６１は、別のクリップ部６Ｄのベルト６２に連結されている。したがって、第２のマット４２は、連結されたベルト６１，６２によって、第１のマット４１に対して起立した状態に保持されている。このため、被検者１０の背中が第２のマット４２に寄り掛かっても、第２のマット４２が後ろに倒れないようにすることができる。また、第２のマット４２の内部には、弾性部材４６が内蔵されているので（図３参照）、被検者１０の背中が第２のマット４２に寄り掛かると、第２のマット４２が被検者１０の背中の形状に合わせて湾曲する。したがって、被検者１０は第２のマット４２に楽な姿勢で寄り掛かることができる。
【００３１】
尚、図７では、第１のマット４１がクレードル３ａに設置されており、第１のマット４１は、被検者１０の下半身が載置されるマットとして使用され、第２のマット４２は、被検者１０の上半身が載置されるマットとして使用される。しかし、第１のマット４１の代わりに、第２のマット４１をクレードル３ａに設置してもよい。この場合、第２のマット４２を、被検者１０の下半身が載置されるマットとして使用し、第１のマット４１を、被検者１０の上半身が載置されるマットとして使用すればよい。
【００３２】
撮影技師１１は、被検者１０を介助具４に着座させたら、介助具４の側面に取り付けられているグリップ部５Ｄを握る（図８参照）。
【００３３】
図８は、撮影技師１１が介助具４のグリップ部５Ｄを握ったときの様子を示す図である。
【００３４】
撮影技師１１は、グリップ部５Ｄを握ったままで、別の撮影技師（図示せず）に、連結されたベルト６１，６２を外してもらう（図９参照）。
【００３５】
図９は、連結されたベルト６１，６２が外れたときの様子を示す図である。
撮影技師１１は、ベルトが外れたのを確認して、グリップ部５Ｄを握ったまま、第２のマット４２を第１のマット４１の後ろ側に少しずつ倒していき、第２のマット４２をクレードル３ａの表面に載置する（図１０参照）。
【００３６】
図１０は、第２のマット４２を後ろに倒した後の様子を示す図である。
第１の形態では、撮影技師１１が第２のマット４２を少しずつ後ろに倒すことによって、被検者１０をクレードル３ａに寝かせている。したがって、被検者１０は背中を第２のマット４２に凭れ掛けたままでクレードル３ａに横になることができるので、撮影技師１１は、被検者１０が例えば高齢者で筋力が弱っていても、被検者１０を安全にクレードル３ａに寝かせることができる。尚、第１の形態では、撮影技師１１は、両手でグリップ部を握り、別の撮影技師に連結されたベルトを外してもらっているが、撮影技師１１が片手でグリップ部を握っておき、連結されたベルトを反対側の手で外してもよい。
【００３７】
また、図９および図１０では、撮影技師１１は、両手でグリップ部５Ｄを握った状態で、介助具４の第２のマット４２を後ろに倒している。しかし、例えば、図１１に示すように、左手でグリップ部５Ｄを握り、右手でグリップ５Ａを握った状態で、介助具４の第２のマット４２を後ろに倒してもよい。
【００３８】
撮影技師１１は、第２のマット４２を倒した後、ベルトが外れているグリップ部６Ａ〜６Ｄのベルトを連結する。図１２に、グリップ部６Ａ〜６Ｄのベルトを連結した後の様子を示す。尚、撮影技師１１が第２のマット４２を倒す前に、グリップ部６Ａ〜６Ｄのベルトを連結してもよい。
【００３９】
このようにして、被検者１０を安全にクレードル３ａに寝かせることができる。尚、撮影技師１１は、被検者１０をクレードル３ａに寝かせた後、被検者１０の位置を調整したい場合は、介助具４を用いて、被検者１０の位置を調整する（図１３参照）。
【００４０】
図１３は、被検者１０の位置の調整方法を示す図である。
撮影技師１１は、グリップ部５Ａ〜５Ｈおよび６Ａ〜６Ｄのうちのいずれかのグリップ部を握り、被検者１０を移動させたい方向に向かって介助具４を引っ張る。図１３では、撮影技師１１がグリップ５Ｈを握って介助具４を引っ張っている様子が示されている。被検者１０は介助具４に寝ているので、撮影技師１１が介助具４を引っ張るだけで、被検者１０の位置を容易に調整することができる。
【００４１】
被検者１０をクレードル３ａに寝かせたら、被検者１０をボア２１に搬入する（図１４参照）。
【００４２】
図１４は、被検者１０をボアに搬入したときの様子を示す図である。
撮影技師は、クレードル３ａと被検者１０との間に介助具４を挟めたままで、被検者１０をボア２１に搬入する。したがって、撮影技師は、被検者１０をクレードル３ａに寝かせた後に、介助具４を抜き取る必要はないので、撮影技師の作業負担を軽減できる。
【００４３】
被検者１０をボア２１に搬入した後、スキャンを行う。そして、スキャンが終了した後、被検者１０をボア２１から搬出する。撮影技師は、被検者１０をボア２１から搬出した後、被検者１０がクレードル３ａから起き上がるときの動作を介助する（図１５および図１６参照）。
【００４４】
図１５および図１６は、被検者１０の起き上がる動作を介助するときの説明図である。
【００４５】
撮影技師１１は、グリップ部５Ｄを握り（図１５参照）、第２のマット４２を少しずつ前に戻していき、第２のマット４２を起立させる（図１６参照）。撮影技師１１が第２のマット４２を起立させることによって、被検者１０の上半身を起こすことができるので、被検者１０が例えば高齢者で筋力が弱っていても、被検者１０の上半身を楽に起こすことができる。撮影技師１１は、被検者１０の上半身を起こした後、必要に応じて、被検者１０がテーブル３から降りるときの介助も行う。このようにして、被検者１０の撮影が終了する。
【００４６】
第１の形態の介助具４は、撮影技師１１がグリップ部を握り、第２のマット４２を少しずつ後ろに倒すことによって、被検者１０をクレードル３ａに寝かせることができる。また、撮影技師１１がグリップ部を握り、第２のマット４２を起立させることによって、被検者１０の上半身を起こすことができる。したがって、被検者１０の負担を軽減することができる。
【００４７】
尚、第１の形態では、介助具４は、１２個のグリップ部を有しているが、グリップ部の数は、必要に応じて、１２個より少なくてもよいし、多くてもよい。また、グリップ部の設置位置や設置間隔も、必要に応じて、変更可能である。
【００４８】
第１の形態では、グリップ部６Ａ〜６Ｄには、ベルト６１および６２が用いられている。しかし、撮影技師１１が握りやすいように構成されていれるのであれば、ベルト６１および６２の代わりに、紐やロープなどを用いてもよい。
【００４９】
尚、第１の形態では、介助具４の長さは、被検者１０の身長よりも長くなっている。しかし、被検者１０を十分に介助できるのであれば、介助具４の長さは、被検者１０の身長より短くてもよい。例えば、被検者１０の下腿部や頭部が介助具４からはみ出していてもよい。
【００５０】
（２）第２の形態
図１７は、第２の形態の介助具４の斜視図である。
【００５１】
図１７（ａ）は、介助具４を折り曲げる前の斜視図、図１７（ｂ）は、介助具４を折り曲げた後の斜視図である。
【００５２】
第２の形態では、介助具４の表面には、２本のラインＬ１およびＬ２が設けられている。ラインＬ１は、第１のマット４１と第２のマット４２のとの境界に設けられており、ラインＬ２は、介助具４の幅方向の中心線上に設けられている。これらのラインＬ１およびＬ２は、例えば、介助具４の表面に塗料を印刷したり、介助具４の表面にテープを貼ることによって実現することができる。
【００５３】
図１８は、第２の形態の介助具４に被検者１０が寝ているときの様子を示す図である。
【００５４】
撮影技師は、ラインＬ１およびＬ２と被検者１０との相対的な位置関係を見ることによって、被検者１０が介助具４のどの位置に寝ているのかを容易に確認することができる。したがって、撮影技師は、ラインＬ１およびＬ２と被検者１０との相対的な位置関係を見ることによって、被検者１０の位置をずらすべきか否か、更に、どの程度ずらせばよいかを、容易に認識することができる。
【００５５】
尚、図１７では、ラインＬ１およびＬ２は、介助具４の表面にのみ設けられている。しかし、ラインＬ１およびＬ２は、介助具４の側面にまで到達するようにしてもよい（図１９参照）。
【００５６】
図１９は、ラインＬ１およびＬ２を介助具４の側面にまで到達させたときの様子を示す図である。このように、ラインＬ１およびＬ２を介助具４の側面にまで到達させることによって、介助具４の表面全体が被検者１０に覆われたとしても、撮影技師は、介助具４の側面を見ることによって、ラインＬ１およびＬ２の位置を確認することができる。したがって、撮影技師は、介助具４の側面を見ることによって、ラインＬ１およびＬ２と被検者１０との相対的な位置関係を容易に確認することができる。
【００５７】
尚、ラインＬ１は、第１のマット４１と第２のマット４２との境界に設けられている。これにより、撮影技師は、ラインＬ１を見るだけで、第１のマット４１と第２のマット４２との境界を視覚的に認識することができる。したがって、撮影技師１１は、被検者１０の下半身が第１のマット４１からずれないように、被検者１０を介助具４に着座させることができる。
【００５８】
また、ラインＬ２は、介助具４の幅方向の中心線上に設けられているので、撮影技師は、ラインＬ２を見るだけで、被検者１０の位置が介助具４の右側又は左側に寄りすぎているか否かを容易に認識することができる。したがって、撮影技師は、被検者１０の位置が介助具４の右側又は左側に寄りすぎていても、すぐに修正することができる。
【００５９】
尚、撮影技師が被検者１０と介助具４との位置関係を認識できるのであれば、ラインＬ１は、第１のマット４１と第２のマット４２との境界からずれていてもよいし、ラインＬ２は介助具４の幅方向の中心線からずれていてもよい。また、第２の形態では、２本のラインＬ１およびＬ２のみが設けられているが、３本以上のラインを設けてもよい。
【００６０】
（３）第３の形態
図２０は、第３の形態における介助具４を裏面側から見た斜視図である。
【００６１】
図２０（ａ）は、介助具４を折り曲げる前の斜視図、図２０（ｂ）は、介助具４を折り曲げた後の斜視図である。
【００６２】
介助具４の裏面には、介助具４をＭＲ装置のクレードルに固定できるようにするための面ファスナー７Ａ、７Ｂ、８Ａ、および８Ｂが設けられている。面ファスナー７Ａおよび７Ｂは、第１のマット４１の裏面に設けられており、面ファスナー８Ａおよび８Ｂは、第２のマット４２の裏面に設けられている。尚、その他の構成は、第１又は第２の形態の介助具４と同じである。
【００６３】
次に、第３の形態の介助具４を、ＭＲ装置のクレードルに固定するときの手順について説明する。
【００６４】
図２１は、介助具４をクレードル３ａに固定する前のＭＲ装置１００の斜視図、図２２は、介助具４をクレードル３ａに固定した後のＭＲ装置１００の斜視図である。
【００６５】
クレードル３ａの表面には、面ファスナー９Ａおよび９Ｂが設けられている。撮影技師１１は、介助具４の第１のマット４１の裏面に設けられている面ファスナー７Ａおよび７Ｂを、それぞれクレードル３ａの面ファスナー９Ａおよび９Ｂに押し付ける。これによって、介助具４の第１のマット４１の面ファスナー７Ａおよび７Ｂが、クレードル３ａの面ファスナー９Ａおよび９Ｂに貼り付けられるので、介助具４をクレードル３ａに固定することができる。
【００６６】
尚、撮影技師１１は、介助具４の固定位置をずらしたい場合は、介助具４の面ファスナー７Ａおよび７Ｂを、クレードル３ａの面ファスナー９Ａおよび９Ｂから剥がし、介助具４をずらしたい位置に移動させてから、介助具４の面ファスナー７Ａおよび７Ｂを、再びクレードル３ａの面ファスナー９Ａおよび９Ｂに貼り付ければよい。したがって、介助具４の固定位置の調整も容易に行うことができる。
【００６７】
第３の形態では、介助具４はクレードル３ａに固定される。したがって、被検者１０が介助具４に着座しても、介助具４がクレードル３ａ上で位置ずれすることがないので、被検者１０を介助具４に着座しやすくすることができる。また、第２のマット４２の裏面には面ファスナー８Ａおよび８Ｂが取り付けられているので、第２のマット４２を倒すと、第２のマット４２の面ファスナー８Ａおよび８Ｂを、クレードル３ａの面ファスナー９Ａおよび９Ｂに貼り付けることができる。したがって、介助具４の全ての面ファスナー７Ａ、７Ｂ、８Ａ、および８Ｂがクレードル３ａの面ファスナー９Ａおよび９Ｂに貼り付けられるので、介助具４を、より強固に固定することができる。
【００６８】
第３の形態では、第１のマット４１に２個の面ファスナー７Ａおよび７Ｂを設けており、第２のマット４２に２個の面ファスナー８Ａおよび８Ｂを設けている。しかし、面ファスナーの個数は、２個に限定されることはなく、１個でもよいし、３個以上でもよい。
【００６９】
また、第３の形態では、第１のマット４１と第２のマット４２との両方に面ファスナーが設けられている。しかし、必要に応じて、第１のマット４１にのみ面ファスナーを設けてもよい。
【００７０】
尚、上記の説明では、介助具４をクレードル３ａに固定させた後で、被検者１０を介助具４に着座させる例について説明されている。しかし、介助具４をクレードル３ａに固定する前に、介助具４に被検者１０を寝かせておき、被検者１０を介助具４に寝かせた状態で、介助具４をクレードル３ａに固定してもよい（図２３参照）。
【００７１】
図２３は、被検者１０を介助具４に寝かせた状態で、介助具４をクレードル３ａに固定するときの説明図である。
【００７２】
ストレッチャー１３には、介助具４が敷かれており、被検者１０は、介助具４に横になっている。撮影技師１１および１２は、介助具４の両端を持って、被検者１０を介助具４に寝かせた状態で、介助具４をクレードル３ａに移動させる。そして、介助具４の面ファスナー７Ａおよび８Ａをクレードル３ａの面ファスナー９Ａに押し付け、介助具４の面ファスナー７Ｂおよび８Ｂをクレードル３ａの面ファスナー９Ｂに押し付ける。これによって、介助具４をクレードル３ａに固定することができる。
【００７３】
尚、介助具４の裏面において、面ファスナー７Ａ、７Ｂ、８Ａ、および８Ｂが取り付けられていない部分は、滑りやすい素材で構成してもよい。これによって、被検者１０をストレッチャー１３からクレードル３ａに移動させやすくすることができる。
【００７４】
また、第１〜第３の形態では、ＭＲ装置のクレードルに被検者を寝かせる場合について説明されている。しかし、本発明は、ＣＴ装置など、被検者を支持するクレードルを有する他の医用装置にも適用することができる。
【符号の説明】
【００７５】
２  マグネット
３  テーブル
３ａ  クレードル
４  介助具
５Ａ〜５Ｈ、６Ａ〜６Ｄ  グリップ部
１０  被検者
１１  撮影技師
４１  第１のマット
４２  第２のマット
４５、４６  弾性部材
６１、６２  ベルト
６３  バックル
６３ａ  差込部
６３ｂ  受け部
１００  ＭＲ装置
【図１】
0005823822.tif 000002
【図２】
0005823822.tif 000003
【図３】
0005823822.tif 000004
【図４】
0005823822.tif 000005
【図５】
0005823822.tif 000006
【図６】
0005823822.tif 000007
【図７】
0005823822.tif 000008
【図８】
0005823822.tif 000009
【図９】
0005823822.tif 000010
【図１０】
0005823822.tif 000011
【図１１】
0005823822.tif 000012
【図１２】
0005823822.tif 000013
【図１３】
0005823822.tif 000014
【図１４】
0005823822.tif 000015
【図１５】
0005823822.tif 000016
【図１６】
0005823822.tif 000017
【図１７】
0005823822.tif 000018
【図１８】
0005823822.tif 000019
【図１９】
0005823822.tif 000020
【図２０】
0005823822.tif 000021
【図２１】
0005823822.tif 000022
【図２２】
0005823822.tif 000023
【図２３】
0005823822.tif 000024